(57)【特許請求の範囲】
【請求項１】
気化可能物質を収容する容器であって芯部材が配備された容器を保持することが企図された作用物質用ヒータ・デバイスであって、上記芯部材を通って上記気化可能物質は毛管現象により上昇して該芯部材の端部に到達し、上記芯部材は上記容器から立ち上がっていて、上記芯部材は該芯部材に対する加熱抵抗器(20)が配備された当該デバイスのネック部(24)内に載置されることから、生成された熱により上記気化可能物質が気化される、ジャック・プラグ(4)による電力供給手段が配備された作用物質用ヒータ・デバイスにおいて、
該デバイスは少なくとも４つの単一構成要素、すなわち、
外側ケーシング（1）を構成する第1構成要素と、
内側部材（2）を構成する第2構成要素と、
上記内側部材（2）に適切に固定されて取付けられた接点要素（3,3'）を構成する第3構成要素と、
ピン(10)を有するジャック・プラグ（4）であって該ピンが各内端部(12)を有するジャック・プラグ（4）を構成する第4構成要素と、
を備え、
上記加熱抵抗器(20)は上記接点要素（3,3'）に直接接続され、これら接点要素は、該接点要素が上記ジャック・プラグ（4）のピン（10）の内端部（12）と接触し得る如く上記ジャック・プラグ（4）のピン（10）の内端部（12）に対向し、
上記ジャック・プラグ(4)は、該ジャック・プラグが軸心方向には移動し得ないが、相互に対して90°である２つの接触位置であって上記接点要素（3,3'）がピン（10）の内端部（12）と接触する２つの接触位置と、上記２つの接触位置に関する中間位置であって上記ジャック・プラグ（4）の上記ピンの上記内端部（12）が上記接点要素（3,3'）に接触しないという中間位置とを占有する如く回転し得るように上記外側ケーシング(1)の側方ネック(6)の内側に保持される、
ことを特徴とする作用物質用ヒータ・デバイス。
【請求項２】
前記内側部材（2）はタブ（25）を備え、前記外側ケーシング（1）は更に、上記内側部材（2）を該外側ケーシング（1）の内側に繋止する上記タブ（25）を保持する手段を備え、
上記外側ケーシングは更に弾性セクター（7）を画成する一対の軸心方向スリット（8）を備え、該弾性セクター（7）の押圧は、気化可能物質を収容する前記容器を支持して保持すべく上記内側部材（2）の底部に載置されたリング（26）の変形に帰着し、上記弾性リング（26）の変形は上記容器の係合解除に帰着することを特徴とする、請求項１に記載のヒータ・デバイス。
【請求項３】
前記内側部材（2）は更に、前記芯部材のための前記ネック部（24）と、上記内側部材を前記外側ケーシング（1）の内側に繋止して固定するためのタブ（25）と、前記接点要素（3,3'）の一端に載置されたブリッジ（14）を介して該接点要素（3,3'）が取付けて固定される壁部（16）とを備えることを特徴とする、請求項２に記載のヒータ・デバイス。
【請求項４】
前記内側部材（2）の壁部（16）上に前記接点要素（3,3'）を取付けることが企図された前記ブリッジ（14）に対応して、加熱抵抗器（20）の支持を助力すべく配置された内側傾斜タブ（15）が配備され、該加熱抵抗器（20）の接続後に残置された該抵抗器の過剰線材端部（22）は上記接点要素（3,3'）を取付ける上記壁部（16）に形成された溝内に挿入されて直線状とされることを特徴とする、請求項３に記載のヒータ・デバイス。
【請求項５】
前記接点要素（3,3'）は前記ジャック・プラグ（4）のピン(10)の内端部（12）と接続するための接続対を決定するための突出かつ屈曲された突起（17,18）の各対を有し、
前記外側ケーシング（1）に関する上記ジャック・プラグの回転位置に従い、上記接点要素（3,3'）の上記突起（17,18）間にはこれらの突起（17,18）に関して引込められたセグメント（19）が確立されることから、上記ジャック・プラグ（4）の回転の中間位置において該ジャック・プラグ（4）のピン（10）の内端部（12）は上記接点要素（3,3'）との接触を行わずに斯かるセグメント（19）から分離され、この中間位置は上記ジャック・プラグ（4）の非作動位置に対応することを特徴とする、請求項１から４のいずれか一項に記載のヒータ・デバイス。
【発明の詳細な説明】
【０００１】
発明の目的
本発明は、当該ヒータ・デバイス自体に連結され得る容器内に収容された(殺虫剤、空気清浄化剤などの)揮発性作用物質に浸漬された芯部材を加熱することが意図された作用物質用ヒータ・デバイスであって、当該デバイスに配備されたネック部内へと上記容器から立ち上がる上記芯部材を介して上記作用物質は毛管現象により上昇すると共に、電力網に差し込まれ得る当該デバイスの対応プラグにより起動される加熱要素が配備された作用物質用ヒータ・デバイスに関する。
【０００２】
本発明の目的は、任意の種類の付加的手段を必要とせずに且つ当該ヒータ・デバイスから上記容器を着脱することを必要とせず、しかも上記加熱要素に対する接点部材の直接接続もジャック・プラグに対する接点部材の直接接続も確立することを必要とせずに、スィッチは当該デバイスに永続的に接合されると共に当該デバイスの起動／作動停止は当該デバイスの本体に対する上記プラグの回転により達成される如く、相互に対して然るべく連結された４つの単一部材および選択的な第5の部材から成る電気抵抗式ヒータ・デバイスを提供するにある。
【０００３】
発明の背景
空気清浄化剤のためであるか又は虫、細菌、カビなどを排除する蒸気の生成のためであるかを問わず作用物質の気化を達成すべく家庭もしくは他の任意の施設の電源コンセントに差し込まれるデバイスは公知である。このようなデバイスは抵抗器から成り得るヒータに対して接点部材を介して電力を提供するジャック・プラグに基づくと共に、上記ヒータは作用物質を収容する容器から立ち上がる芯部材を加熱することから、該芯部材内を毛管現象により流れる上記物質は該芯部材の加熱により加熱されることで上記作用物質が放出される。
【０００４】
この種のデバイスは実用的であると共に何らの障害も無く容易に使用かつ清浄化されるが、その構成要素の組立てが複雑であると共に、電源から接続解除するためのスィッチを必要とし、或いは直接的にプラグを抜いて接続解除することが必要であるという一定の欠点および不都合がある。
【０００５】
同様に、対応接点部材と上記抵抗器との間の接続を確立するリード線は、組立てのためのそれらの取り扱いと、リード線を被覆するプラスチック絶縁材の剥離と、毛管現象により上記芯部材内を上昇する液体もしくは作用物質を気化するための熱を生成すべく上記芯部材の回りに配置されるべき上記抵抗自体の過剰線材の切断と、各線材と対応電力リード線との間の接続システムとを必要とすることに言及するのも有用である。
【０００６】
また、容器の連結／取り外しが容易であるデバイスも存在はするが、この場合、容器自体が偶発的に離脱したり自重により地面に落下するため、容器の取付けに関する最小限の信頼性が犠牲になるので、殆どの公知デバイスにおける特定の取り扱いを必要とするデバイスに容器を取付ける方法は実施困難である。
【０００７】
発明の記述
開示されたデバイスは、上記の問題を解決すると共に、襲用のデバイスと比較して付加的特徴を提供すべく想起されたものである。
【０００８】
より詳細には本発明のデバイスは、該デバイスが、外側ケーシングと、第3部材と見做される対応接点部材を取付ける内側部材と、第4部材を形成するプラグ軸受セットならびにプラグ自体とから成るという４種類のみの部材あるいは選択的に５種類の部材から成ることで組立て、製造、信頼性および使用に関する相当の簡明さを提供するという事実に基づく一方、上記第5の選択的部材は上記第2部材における加熱要素のハウジングを覆うべく内側取付けされる蓋部であり、上記第2部材は、芯部材の通過を許容する軸心方向ネック部と、気化されるべき作用物質を収容する対応容器を保持かつ容易に係合解除する弾性手段とを備える。
【０００９】
上記本体の外側ケーシングおよび内側部材は両者ともに好適にはポリアミド型(PA)のポリオレフィンもしくはポリプロピレン(PP)もしくはテレフタル酸ポリブチル(PBT)もしくはポリオキシメチレン(POM)もしくはポリフェニル硫黄(PPS)などのプラスチック材料から作成されるので、上記ケーシングは中空であると共に該ケーシングは上記内側部材もしくは本体を組立てるべく完全に開放された底部と、上記プラグ自体を構成する成形部材に埋設された２本のピンを備える対応プラグ担体を組付けるためのネック部を備えた側方突出部とを提供することから、この成形部材はその内面上の一対の突起であって上記ケースの側方ネック部に当該目的のために配備されたリブと協働して上記ケーシング上に当該プラグを連結かつ保持する手段を形成する一対の突起を有し、上記プラグは上記ケーシングからの分離は防止されるが自身回りの回転は許容され、また独特の性質として、上記各プラグ・ピンはそれらの内側部材を貫通して軸心方向セグメントとして突出し、該セグメントの端部は上記内側部材もしくは本体内に当該目的のために配備されて適切に載置された上記各接点部材に対して当接し、上記各接点部材は特定形態を有することから、接点部材の各々は、上記内側部材もしくは本体の壁部に対する組付けおよび正しい取付けのためのブリッジの形態の上側部分と、相互に関して交互配置されると共に弾性変形可能な２個の突出部分であって上記プラグ・ピンの上記内側延出部の端部が当接し得る２個の突出部分とを有する。上記接点要素は上記プラグへの接触が、相互に90°である２つの位置にて確立される一方で中間位置において上記プラグの各端部は各接点部材の中間の領域とされる如く配置され、上記領域は上記プラグ・タブの各端部が当接する上記突出部分に関して引込められるので全く接触のない非作動位置を画成することから、他の位置と非整列とされたこの中間位置において当該デバイスは作動停止され、すなわち、襲用のシステムの如き何らかの種類のスィッチおよび導電線材を要さずに電力供給が遮断される位置が提供される、と言うのも、上記内側部材もしくは本体上に配備される通過ネック部上に載置された電気抵抗は上記接点部材を形成する要素に対応するピンと接触して該ピンに取付けられるからである。
【００１０】
上記各接点部材を取付ける壁部に対応して上記内側部材もしくは本体は加熱抵抗の過剰線材が折曲されて直線状とされる溝もしくは凹所を備えることから上述の如く適切に位置される上記過剰線材セグメントを切断する必要性は回避されることに言及することも有用である。
【００１１】
更なる新規な特徴は、上記内側部材が好適には径方向に対向して配置されたタブを備え、これらのタブは該内側部材が上記ケーシング内の最大貫入位置まで挿入されたときに該内側部材を上記ケーシングの内側に取付けて固定する手段を形成することである。
【００１２】
別の新規な特徴は、上記内側部材の下側部分においてすなわち気化されるべき作用物質を収容する容器が載置される領域において該内側部材は弾性変形可能なリングを備え、該リングはその静止位置においては上記容器のネック部を介して該容器をこの位置に保持すべく長円形状を呈する一方、上記容器の係合解除は、上記リングの最狭幅部分に当接する上記概略的ケーシングの弾性セクターを内方に押圧して該リングの各側部を開かせることでこれらの側部により保持されていた上記容器の係合解除を引き起こすことで達成される。
【００１３】
上記第5の選択的部材は、上記加熱要素およびそれらの線材が上記内側本体に収納される箇所における先行部材に対する蓋部であることが企図される。その新規な特徴は、全体として上記デバイスの気化性能を実質的に変えること無く、当該部材が使用されてもされなくとも良いことである。当該部材は芯部材に対する上記内側部材もしくは本体の回りに自動調心されて位置され、且つ、当該部材はたとえば抵抗器ともされ得るヒータ・ハウジングも覆うという点で傑出している。当該選択的蓋部は、上記内側部材もしくは本体の上昇管軸心に対して平行に120°毎に形成された３個の小寸リブであって該上昇管のネック部の外壁上に浮き彫りにされた３個の小寸リブに対する該蓋部の円形オリフィスの縁部の摩擦により、所定位置に維持される。
【００１４】
本記述の補足として且つ好適実施例に従って本発明の特徴の更に良好な理解を助力すべく本記述の一体的部分として各図面が添付されるが、これらは例示のみを目的としており、発明の範囲の制限を意味しない。
【００１５】
発明の好適実施例
各図中に示された如く本発明のデバイスは４つの基礎部材もしくは要素と第5の選択的部材とを備え、第1の構成要素は円筒形状の概略的ケーシング（1）に対応し、第2の構成要素は前者の内側に取付けられるべき部材（2）に対応し、第3の構成要素はデバイス接点部材を形成する２個の要素（3,3'）から成り、第4の構成要素もしくは部材は対応ジャック・プラグ（4）から成り、また、円形で平坦であり縁部を備えた形状である第5の選択的部材（27）は一個以上の加熱要素（20）および対応する取付要素（21）に対して配備されるハウジング用蓋部として用いられる。
【００１６】
ケーシング（1）に関し、該ケーシングは底部にて開口されると共に側部表面に対応して突出部（5）を備え、該突出部からはジャック・プラグ（4）が連結される円筒体（6）が分岐すると共に、該ケーシング（1）は底部開口端部として示された端部に対応して該ケーシング（1）の概略的円筒体の２つの軸心方向スリット（8）間に形成された弾性セクター（7）を備え、該弾性セクター（7）は以下に更に記述される如く気化されるべき作用物質を収容する容器の係合解除に対応する機能を実施することが企図される。
【００１７】
円筒状ネック部（6）の内側には、該円筒状ネック部（6）の高さ未満の長さを有する所定数の突起（9）が配備される。
【００１８】
ジャック・プラグ（4）は成形により得られた本体であって対応ピン（10）が埋設された本体から成り、該ピン（10）は、対応する電源プラグに接触する外側セグメント（11）と、接点部材（3,3'）に接触すべく突出する内側セグメント（12）とを備える。ジャック・プラグ（4）の本体は更に下位突起（13）を有するが、該下位突起は自身がネック部（6）のリブ（9）の内端部を通過することで軸心方向取り外しは許容しないが回転は許容してプラグ（4）をケーシング（1）内に保持することにより該プラグ（4）の本体をケーシング（1）のネック部（6）の内側に連結する際の保持手段を提供することから、プラグ（4）はユーザが意図する箇所に位置され得ると共に常に回転が許容されるが軸心方向変位は許容されない。
【００１９】
接点部材（3,3'）はそれらの一方の端部にて傾斜タブ（15）が確立された一種のブリッジ（14）を備えることから、取付け目的で内側部材（2）に配備された壁部（16）が接点部材（3,3'）の頂部に配備されたブリッジ（14）の内側に載置されたときに接点部材（3,3'）はブリッジ（14）により壁部（16）上に取付けられ、図２に明示される如く接点部材（3,3'）は完全に部材（2）の内側に保持かつ載置される。
【００２０】
更に、接点部材（3,3'）はジャック・プラグ（4）により採用された位置に依存して該プラグ（4）のピン（10）の内端部（12）に接触する夫々の接点対を形成する如き形態および配置を有する弧状突起（17,18）を有することから、上記プラグのこれらの内側要素（12）が接点部材（3,3'）の各突起（18）に夫々着座するときに上記プラグは水平位置を取ることで当該デバイスに対して電気的連続性を提供する一方、斯かる位置からプラグ（4）が90°回転されたならばプラグ（4）のピン（11）の内端部（12）は突起（18）に接触して同様に電気的連続性を確立し、故に、上記デバイスはプラグ（4）のこれらの２つの位置すなわち水平および垂直位置の両方にて作動され得ることで、現在市販されている任意の形式のソケットに適合し得る。
【００２１】
しかし、もしプラグ（4）がケーシング（1）に関して回転されることで上述の２つの位置の間すなわちこれらの位置に対して45°の角度の位置に置かれたならばプラグ（4）の各端部（12）は突起（17,18）の間に配置されたセグメント（19）であって内側の平面内もしくは更に引込められた平面内に在るセグメント（19）に対向されることから各端部（12）は接点部材（3,3'）に到達しないので、何らの形式のスィッチをも要さずに作動停止位置が達成される。
【００２２】
当然ながら接点部材（3,3'）は対応する電気抵抗器（20）に接続されるが、該電気抵抗器は０個、１個もしくは２個のクリップ（21）により固定されると共に、対応接続を実施する該電気抵抗器の過剰線材（22）は、接点部材（3,3'）を取付ける壁部（16）において当該目的のために配備された溝に対して接点部材（3,3'）のブリッジ（14）およびタブ（15）のこの特殊な形態により押圧されることから、抵抗器（20）の過剰線材（22）のこれらの端部は溝もしくはスロットに対応する位置において折曲されて直線状とされる。
【００２３】
内側部材（2）に関し、既に記述された特徴に加えて該内側部材（2）は、当該デバイス・ユニットの底部に取付けられて作用物質を収容する容器の芯部材を載置するための対応通過ネック部（24）を備えると共に、該部材（2）は該部材（2）の内端部もしくは頂端部上に載置されたタブ（25）であってケーシング（1）の内側に繋止されるタブ（25）によりケーシング（1）の内側に固定されることから、当該ユニットを破壊しないで抜き取られる可能性なしで該部材（2）は固定される。
【００２４】
最後に上記部材（2）は底端部において、長円形の弾性リング（26）であってその各基部もしくは各側部間には気化されるべき物質を収容する容器がそのネック部により保持されるという弾性リング（26）を備え、上記容器は部材（2）の通過ネック部（24）を通り上方に立ち上がる芯部材を当然に備えるので該芯部材は自身回りに配置された抵抗器（20）により加熱されて熱くなり、上述の如く載置された芯部材の頂部まで毛管現象により上昇する上記液体もしくは物質が気化される。リング（26）から容器を係合解除するためにはケーシング（1）の弾性セクター（7）を外側から内側へと押圧すれば十分であり、この圧力はセクター（7）の内方変形をもたらすことでリング（26）のセグメント（26'）を押圧することから、該リングの各側部が離間されて容器は係合解除される。
【図面の簡単な説明】
【図１】  図１は、本発明の目的に係る作用物質用ヒータ・デバイスを構成する４つの構成要素もしくは基礎部材と１つの選択的部材の概略的斜視図であって、これらの５つの構成要素とは、外側ケーシング、同様に図示された２個の接点部材、それらを取付ける内側部材、対応ジャック・プラグおよび選択的蓋部である。
【図２】  図２は、当該内側部材に対して上記各接点部材を適切に連結して取付ける上記デバイスの上記内側部材の概略的斜視図であり、この図において上記電気加熱抵抗器および上記プラグの２本のピンは、プラグ本体は示されないが上記プラグの２本のピンの内端部が上記内側部材に取付けられた上記各接点部材に夫々係合された状態で、分解図で示されている。
【図３】  図３は、作用物質を収容する容器の取付けおよび固定が企図された上記内側部材の弾性変形可能な底部リングならびに該内側リングを押圧して上記容器を係合解除させる上記内側ケーシングの弾性内側セクターの形状を示す、上記プラグを省略した上記デバイスの底面斜視図である。
【図４ａ】  図４ａは、上記ケーシングと、上記プラグとを明示し、上記各接点部材を担持する上記内側部材であって上記デバイス自体の底部に接続かつ保持され得る対応容器に収容される作用物質を気化するために加熱されるべき上記芯部材が載置される通過ネック部を備えた内側部材を点線で示した組立済みデバイス全体の斜視図である。
【図４ｂ】  図４ｂは、上記デバイスの分解図である。
【図１】
0004638126.tif 000002
【図２】
0004638126.tif 000003
【図３】
0004638126.tif 000004
【図４ａ】
0004638126.tif 000005
【図４ｂ】
0004638126.tif 000006